(57)【要約】【課題】デザイン変更のみでＳ−ＩＰＳの開口率を向上させることのできる液晶表示装置を得る。【解決手段】本発明に係る液晶表示装置は、第１の基板上に設けられた第１の電極１０および第２の電極２０の間に横電界を発生させるＩＰＳ構造を有する液晶表示装置において、第１の電極１０および第２の電極２０の間の電界方向によって液晶の配向方向にずれが発生する部分を、開口部外に設けたものである。これにより、開口率の向上を図るとともに、焼き付き防止を実現できる。【選択図】図１
2008003248.tif 000002
【特許請求の範囲】
【請求項１】
第１の基板上に設けられた第１の電極および第２の電極の間に横電界を発生させるＩＰＳ構造を有する液晶表示装置において、
前記第１の電極および前記第２の電極の間の電界方向によって、液晶の配向方向にずれが発生する部分を、開口部外に設けたことを特徴とする液晶表示装置。
【発明の詳細な説明】
【技術分野】
【０００１】
本発明は、開口率を向上させる液晶表示装置に関し、特に、ＩＰＳあるいはＳ−ＩＰＳ（Ｓｕｐｅｒ−Ｉｎ−Ｐｌａｎｅ  Ｓｗｉｔｃｈｉｎｇ）方式において開口率の向上を実現する液晶表示装置に関する。
【背景技術】
【０００２】
液晶表示装置、特にＴＦＴ（Ｔｈｉｎ  Ｆｉｌｍ  Ｔｒａｎｓｉｓｔｏｒ：薄膜トランジスタ）を用いた液晶表示装置が、広く携帯電話から大型テレビにまで採用されている。最近では、５０インチクラスの大画面サイズのパネルが大量生産されるようになり、公共用ディスプレイとしての用途が増えてきた。公共用ディスプレイは、同じ画面を長時間映すので、焼き付きが起こりやすい。このような中で、公共用ディスプレイに使用するような表示装置にあっては、特に、焼き付きが発生しない対策が施された表示装置が要求されている。また、中小型、ノートＰＣ、モニターにおいても、同様な製品レベルが要求されるようになってきている。
【０００３】
従来、視野角特性を向上するためにＩＰＳ技術、さらにはＳ−ＩＰＳ技術が考案され、現在、さまざまな製品として量産されている（例えば、特許文献１参照）。図６は、従来技術のＩＰＳ構造を示す図である。図６（ａ）、図６（ｂ）に示すように、ＩＰＳ構造においては、同一基板上に２つの電極１０、２０が形成され、その電極間に電界を掛けることで液晶を応答させ、階調表示を行っている。実際に、同一基板上に電極を形成しているために、基板に平行な電界成分が大きく、結果的に視野角の広い特性を得ることができている。
【０００４】
ここで、このようなＩＰＳパネルでは、電極が上下に対し、液晶の配列方向が上下からややずれているため、視野角特性も上下左右対称とならない。そこで、その補償のための構造も提案され、量産されている。図７は、従来技術による視野角特性の補償に関する説明図である。図７に示すように、電極形状をくの字とすることにより、液晶分子の方向性を補償することができる。
【０００５】
【特許文献１】特開平１１−２４１０４号公報
【発明の開示】
【発明が解決しようとする課題】
【０００６】
しかしながら、従来技術には次のような課題がある。従来技術によれば、視野角特性は向上できる。しかしながら、ＩＰＳあるいはＳ−ＩＰＳ方式においては、２つの電極間に発生する電界の方向によって、液晶の配向方向にずれが発生し、色付きノイズに相当するディスクリネーションが発生する問題がある。
【０００７】
図８は、従来のＩＰＳあるいはＳ−ＩＰＳ方式による液晶表示装置におけるディスクリネーションの発生に関する説明図である。図８（ａ）に示すように、ＩＰＳあるいはＳ−ＩＰＳ方式の液晶表示装置は、２つの電極に相当するコモン電極１０と画素電極２０との間に電界を発生させて、液晶の配向制御を行う。しかしながら、図８（ａ）における○印で示した部分では、液晶の配向方向が他の部分とは異なってばらつき、輝度にはほとんど寄与せず、また、焼き付きの原因となる。
【０００８】
図８（ｂ）は、図８（ａ）の○印の部分の拡大図であり、（１）〜（５）の５箇所の部分における液晶の配向方向を示している。この図８（ｂ）は、コモン電極１０と画素電極２０との間に電界Ｅが発生した場合に、液晶が傾く方向を示したものである。（１）〜（５）における液晶の配向方向は、電界の方向によって異なることとなる。
【０００９】
（１）および（５）では、同一方向の電界の作用により、液晶は、左方向に動く。また、コーナー部分である（２）では、（１）および（５）とは電界方向が異なるものの、液晶は左方向に動くこととなる。また、（３）では、電界が作用しないため液晶は動かず、輝度には寄与しない。そして、もう１つのコーナー部である（４）では、電界方向の関係で、液晶が右回りに動くこととなる。この結果、（４）と（５）の間（図８（ｂ）において点線の円で示した部分）にディスクリネーションが発生することとなる。
【００１０】
ディスクリネーションの大きさは、印加電圧の大きさに比例し、電圧が大きいほど大きいディスクリネーションが発生する。そして、白画像から黒画像に動かす場合に、このディスクリネーションの変化が焼き付きとして見え、液晶パネルの焼き付きの原因の１つになる。
【００１１】
本発明は上述のような課題を解決するためになされたもので、デザイン変更のみでＳ−ＩＰＳの開口率を向上させることのできる液晶表示装置を得ることを目的とする。
【課題を解決するための手段】
【００１２】
本発明に係る液晶表示装置は、第１の基板上に設けられた第１の電極および第２の電極の間に横電界を発生させるＩＰＳ構造を有する液晶表示装置において、第１の電極および第２の電極の間の電界方向によって液晶の配向方向にずれが発生する部分を、開口部外に設けたものである。
【発明の効果】
【００１３】
本発明によれば、焼き付きの元になり、輝度に寄与しない部分を、開口率内から開口率外に出すことにより、副作用なしに、デザイン変更のみでＳ−ＩＰＳの開口率を向上させることのできる液晶表示装置を得ることができる。
【発明を実施するための最良の形態】
【００１４】
以下、本発明の液晶表示装置の好適な実施の形態につき図面を用いて説明する。
本発明の液晶表示装置は、コモン電極および画素電極を形成するためのマスクを工夫することにより、Ｓ−ＩＰＳ方式の液晶表示装置における開口率の向上、および焼き付き防止を実現することを特徴とするものである。
【００１５】
実施の形態１．
図１は、本発明の実施の形態１における液晶表示装置と従来の液晶表示装置との電極構成の違いを示した図である。図１（ａ）は、従来の液晶表示装置における電極構成を示しており、先の図８（ａ）と同じである。また、図１（ｂ）は、本実施の形態１における液晶表示装置の電極構成を示している。
【００１６】
本実施の形態１における液晶表示装置は、輝度にほとんど寄与せず、ディスクリネーションの原因となる部分（図８（ａ）において○印で示した部分）を、開口部に相当する金属メタルのコモン線３０の外側部分に設けるように構成されている。図１（ｂ）において、液晶の傾きがばらつくコーナー部分は、開口部外に設けられている。そして、この部分は、メタル部分であることから光は透過せず、液晶パネルの焼き付きに影響を及ぼすことはない。
【００１７】
さらに、図１（ａ）と図１（ｂ）の開口部は、ともに同じ大きさであるが、図１（ｂ）においては、輝度に寄与しない部分が開口部外となることにより、開口部内では光らない部分がなくなり、より明るくなる。
【００１８】
図２〜図５は、本発明の実施の形態１における液晶表示装置の４工程に渡る製造工程を順に示した図であり、図２が１層目、図３が２層目、図４が３層目、そして図５が４層目の工程をそれぞれ示している。
【００１９】
図２の１層目は、ゲートＬａｙｅｒであり、ゲート線、コモン線を作る。
次に、図３の２層目は、信号線、チャネルのＬａｙｅｒであり、信号線を作るとともに、ＴＦＴのチャネル部分、コモン線上に負荷容量を作る。
【００２０】
次に、図４の３層目は、コンタクトホールのＬａｙｅｒであり、画素ＩＴＯ電極を画素電極と繋げるためのコンタクトホールと、コモン線と画素コモンＩＴＯとを繋げるコンタクトホールを作る。
【００２１】
そして、最後に、図５の４層目は、電極Ｌａｙｅｒであり、画素ＩＴＯ電極および画素コモンＩＴＯ電極を作る。そして、本発明では、この４層目で作り込む両電極の位置を、先の図１（ｂ）に示したような位置としている。これにより、開口部内での輝度を明るく保つとともに、ディスクリネーションの要因となる部分を開口部外にレイアウトして、焼き付き防止を図っている。
【００２２】
以上のように、実施の形態１によれば、４層目の工程で作り込む電極の位置を工夫することにより、４工程目のマスク変更によるデザイン変更のみで、Ｓ−ＩＰＳ方式において、ディスクリネーションによる焼き付きを防止し、開口率を向上させることのできる液晶表示装置を得ることができる。
【図面の簡単な説明】
【００２３】
【図１】本発明の実施の形態１における液晶表示装置と従来の液晶表示装置との電極構成の違いを示した図である。
【図２】本発明の実施の形態１における液晶表示装置の４工程に渡る製造工程を順に示した図である。
【図３】本発明の実施の形態１における液晶表示装置の４工程に渡る製造工程を順に示した図である。
【図４】本発明の実施の形態１における液晶表示装置の４工程に渡る製造工程を順に示した図である。
【図５】本発明の実施の形態１における液晶表示装置の４工程に渡る製造工程を順に示した図である。
【図６】従来技術のＩＰＳ構造を示す図である。
【図７】従来技術による視野角特性の補償に関する説明図である。
【図８】従来のＩＰＳあるいはＳ−ＩＰＳ方式による液晶表示装置におけるディスクリネーションの発生に関する説明図である。
【符号の説明】
【００２４】
１０  コモン電極（第１の電極）、２０  画素電極（第２の電極）、３０  コモン線。
【図１】
2008003248.tif 000003
【図２】
2008003248.tif 000004
【図３】
2008003248.tif 000005
【図４】
2008003248.tif 000006
【図５】
2008003248.tif 000007
【図６】
2008003248.tif 000008
【図７】
2008003248.tif 000009
【図８】
2008003248.tif 000010